(57)【特許請求の範囲】
【請求項１】
外壁（５０）から導出され、少なくとも出口（５１ｂ）が開放された配管（５１）を覆う配管カバーであって、
前記外壁（５０）に取付けられ、挿通孔（１１）を有する配管カバー本体（２）と、
前記配管カバー本体（２）の前記外壁（５０）とは反対側に着脱可能に取付けられ、前記挿通孔（１１）と連通する貫通孔（３ｃ）を有する取付部（３ａ）と、この取付部（３ａ）と一体的に形成された防虫フィルター（３ｂ）とを有する中間部材（３）と、
前記中間部材（３）に着脱可能に取付けられ、当該中間部材（３）を覆うとともに前記配管カバー本体（２）との間で前記貫通孔（３ｃ）に連通する通路（５）を形成するフィルターカバー（４）と、を備え、
前記フィルターカバー（４）は前記貫通孔（３ｃ）に連通する側とは反対側の前記通路（５）の端部が下向きになるように形成され、前記防虫フィルター（３ｂ）は、前記通路（５）を横切る状態で前記取付部（３ａ）から斜め下方に向けて延出されており、
前記中間部材（３）は、前記防虫フィルター（３ｂ）と前記取付部（３ａ）との連結部（３ｐ）の近傍に、両者を分離させるための分離手段が設けられている
ことを特徴とする配管カバー。
【請求項２】
請求項１に記載の配管カバーにおいて、
前記分離手段が、凹溝（３ｋ）であることを特徴とする配管カバー。
【発明の詳細な説明】
【技術分野】
【０００１】
本発明は、例えば建物外壁の外側に屋内から導出された配管の屋外部分を覆う配管カバーに関する。
【背景技術】
【０００２】
近年においては、エアコンの仕様が多様化していて、そのうちの一つとして、換気機能に加え、さらに室内機に備わったフィルターを自動で掃除する機能を備え、フィルターの掃除により発生したゴミを換気用配管により自動的に排出するタイプのエアコンが存在する。
【０００３】
ところで、上記換気用配管における屋外に導出された部分には配管カバーが一般的に取付けられ、その配管カバーとして、防虫フィルターを有するものと防虫フィルターがないものが知られている（例えば特許文献１、２等参照）。
【先行技術文献】
【特許文献】
【０００４】
【特許文献１】特開２００８−１７５５１０号公報
【特許文献２】特開２００９−０４７２８４号公報
【発明の概要】
【発明が解決しようとする課題】
【０００５】
しかしながら、上述した特許文献１の配管カバーにあっては、室内機のフィルター掃除により発生したゴミを換気用配管により排出しようとしても、配管カバーに備わった防虫フィルターにより前記ゴミを排出できずにゴミが配管カバー内に蓄積されることになるため、配管カバーの定期的な掃除が必要となって煩わしいという難点があった。さらに、特許文献２の防虫フィルターがない配管カバーは、防虫フィルターがないためゴミを排出しても配管カバーにゴミが蓄積することはないが、換気用配管から虫などが侵入したり、住居が密集している箇所では隣屋にゴミが排出される虞があってゴミを排出できないことが生じるなどの問題があった。
【０００６】
本発明は、このような従来技術の課題を解決するためになされたものであり、ゴミの蓄積許容量を増大化させて掃除の頻度を低減することができる配管カバーを提供することを目的とする。
【課題を解決するための手段】
【０００７】
本発明は、外壁（５０）から導出され、少なくとも出口（５１ｂ）が開放された配管（５１）を覆う配管カバーであって、前記外壁（５０）に取付けられ、挿通孔（１１）を有する配管カバー本体（２）と、前記配管カバー本体（２）の前記外壁（５０）とは反対側に着脱可能に取付けられ、前記挿通孔（１１）と連通する貫通孔（３ｃ）を有する取付部（３ａ）と、この取付部（３ａ）と一体的に形成された防虫フィルター（３ｂ）とを有する中間部材（３）と、前記中間部材（３）に着脱可能に取付けられ、当該中間部材（３）を覆うとともに前記配管カバー本体（２）との間で前記貫通孔（３ｃ）に連通する通路（５）を形成するフィルターカバー（４）と、を備え、前記フィルターカバー（４）は前記貫通孔（３ｃ）に連通する側とは反対側の前記通路（５）の端部が下向きになるように形成され、前記防虫フィルター（３ｂ）は、前記通路（５）を横切る状態で前記取付部（３ａ）から斜め下方に向けて延出されており、前記中間部材（３）は、前記防虫フィルター（３ｂ）と前記取付部（３ａ）との連結部（３ｐ）の近傍に、両者を分離させるための分離手段が設けられていることを特徴とする。本発明による場合には、防虫フィルターが取付部から斜め下方に向けて延出しているので、傾斜する防虫フィルターの低い側にゴミを寄せてためることができ、これによりゴミの蓄積許容量を増大化させて、掃除の頻度を低減することができる。また、防虫フィルターが傾斜しているので、配管カバーの外壁からの出っ張りを抑制しつつ、防虫フィルターに設けられる換気孔全体の面積を大きくすることが可能になる。更に、上述した換気孔全体の面積の増大化に伴って通風抵抗を低減することができる。更にまた、防虫フィルターに溜まったゴミは、フィルターカバーを外すだけで外部に露出するので、中間部材を取り外す必要がなく、簡単な作業で防虫フィルターの掃除を行うことができる。加えて、フィルターカバーを外すと、配管出口が表れるので、その配管についても中間部材を取り外すことなく掃除することが可能になる。更にまた、取付部と防虫フィルターとが一体的に形成されているので、防虫フィルターの着け忘れを防止することができる。
【０００８】
しかも、前記配管カバーでは、前記中間部材（３）は、前記防虫フィルター（３ｂ）と前記取付部（３ａ）との連結部（３ｐ）の近傍に、両者を分離させるための分離手段が設けられている。この構成では、中間部材が防虫フィルターと取付部との連結部で折れ曲がった形状となっていて、その折れ曲がり部分の近傍に分離手段が設けられている。つまり、折り曲げ力を集中させ易い折れ曲がり部分の近傍に分離手段が位置するので、分離手段を分離させ易い。
【０００９】
また、前記配管カバーにおいて、前記分離手段が、凹溝（３ｋ）である構成とすることができる。この構成による場合には、凹溝の溝底が薄肉となっていて分離させ易く、その分離を手で行うことができ、特殊な道具を必要としない。
【発明の効果】
【００１０】
本発明による場合には、防虫フィルターが、通路を横切る状態で取付部から斜め下方に向けて延出しているので、防虫フィルターの低い側にゴミを寄せてためることができ、これによりゴミの蓄積許容量を増大化させて、掃除の頻度を低減することができる。
【図面の簡単な説明】
【００１１】
【図１】本発明の一実施形態に係る配管カバーとこれにより覆われる配管とを示す模式図（縦断面図）である。
【図２】図１の配管カバーを示す分解斜視図である。
【図３】図１の配管カバーを示す縦断面図である。
【図４】図１の配管カバーを示す背面図である。
【図５】図１の配管カバーを示す正面図である。
【図６】図１の配管カバーを示す底面図である。
【図７】図１の配管カバーを構成する中間部材を示す左側面図である。
【図８】図１の中間部材を示す外観斜視図である。
【図９】配管カバーにおいてフィルターカバーを外した状態を示す縦断面図である。
【発明を実施するための形態】
【００１２】
以下に、本発明の実施形態につき具体的に説明する。
【００１３】
図１は本発明の一実施形態に係る配管カバーとこれにより覆われる配管とを示す模式図（縦断面図）であり、図２はその配管カバーを示す分解斜視図、図３はその配管カバーを示す縦断面図、図４はその配管カバーを示す背面図、図５はその配管カバーを示す正面図、図６はその配管カバーを示す底面図、図７はその配管カバーを構成する中間部材を示す左側面図、図８はその中間部材を示す外観斜視図である。
【００１４】
この配管カバー１は、建物の外壁５０の内側から外側へ導出された第１配管５１、第２配管５２の折れ曲がり部分５１ａ、５２ａを覆うものであり、第１配管５１についてはその折れ曲がり部分５１ａの少し下側の開放した出口５１ｂも覆っている。第１配管５１は、室内換気用配管であり、第２配管５２は図示しない室内機と室外機を連結する冷媒用配管である。なお、第２配管５２の内部には室内機と室外機を連結する電線が通されることもある。第２配管５２の配管カバー１で覆われた部分よりも下側の部分は、別の直管状のダクト５３により覆われる。
【００１５】
上記配管カバー１は、外壁５０に取付けられる配管カバー本体２と、配管カバー本体２に着脱可能に取付けられる中間部材３と、中間部材３の外側を覆う状態で中間部材３に着脱可能に取付けられるフィルターカバー４とを具備する。
【００１６】
配管カバー本体２は、２つの第１部分２Ａ、第２部分２Ｂに二分割された構成となっていて（図２参照）、両部分２Ａ、２Ｂを連結して使用される。第２部分２Ｂは外壁５０に沿う概略平面状のもので、第１部分２Ａは第２部分２Ｂと対向する対向部２Ａ１と、その対向部２Ａ１よりも上側の上側部２Ａ２と、対向部２Ａ１及び上側部２Ａ２の周囲であって下側を除く部分に形成された縁部２Ａ３とを有し、上側部２Ａ２に円形の挿通孔１１が形成されている。
【００１７】
第１部分２Ａには、外壁５０に取付ける取付孔２ａが複数、図示例では３つ形成され、第２部分２Ｂには２つの取付孔２ｂが形成されており、第１部分２Ａの下側の２つの取付孔２ａと第２部分２Ｂの２つの取付孔２ｂとは対応する位置に配設されていて、取付孔２ａ及び取付孔２ｂを介してビス止めし、第１部分２Ａの上端の１つの取付孔２ａを介してビス止めすることで、配管カバー本体２が外壁５０に取付けられる。なお、配管カバー本体２は、第２部分２Ｂを省略した構成や、第２部分２Ｂが第１部分２Ａに一体化された構成としてもよい。
【００１８】
前記中間部材３は、縦断面が概略Ｌ字状に形成されていて、配管カバー本体２に対し取付けられる取付部３ａと、この取付部３ａと一体的に形成された防虫フィルター３ｂとを有する。取付部３ａが配管カバー本体２に取付けられた状態で、防虫フィルター３ｂは取付部３ａの下端部（取付部３ａと防虫フィルター３ｂとの連結部３ｐ）から側方（外壁５０とは反対側）に向けて延出している。より詳細には、斜め下方に向けて延出している。取付部３ａと防虫フィルター３ｂとのなす角度θは（図３参照）、９０゜よりも大きく、配管カバー本体２に中間部材３を取付けた状態において、防虫フィルター３ｂは外壁５０寄りを高く、外壁５０から遠い側を低くするように傾斜している。その傾斜した角度θは、図示例では約１００゜程度になっているが、より大きい値にしてもよい。また、上記取付部３ａは、前記上側部２Ａ２と略平行になっている。
【００１９】
また、防虫フィルター３ｂには、その幅方向Ｗに沿って配列されて複数の換気孔３ｈが形成されている（図６参照）。換気孔３ｈは、前記幅方向Ｗと略直交する方向に長いものである。また、取付部３ａの防虫フィルター３ｂ寄りの部分には、防虫フィルター３ｂを分離するための分離手段として凹溝３ｋが、前記幅方向Ｗに取付部３ａの端から端までにわたって連続的に形成されていて（図２、図８参照）、防虫フィルター３ｂを取付部３ａに対して相対的に折り曲げることで、防虫フィルター３ｂを凹溝３ｋの箇所で分離することができるようになっている。なお、分離手段としては、凹溝３ｋに代えて、凹部または孔が不連続に一列に並んだ形態のものでもよい。また、凹溝３ｋや前記凹部の断面は、底部が薄肉に形成されるＵ字状やＶ字状などが好ましい。また、分離手段を設ける位置は、取付部３ａと防虫フィルター３ｂとの連結部３ｐ（図３参照）の近傍であればよく、連結部３ｐの位置でも、防虫フィルター３ｂの取付部３ａ寄りの位置でもよい。
【００２０】
この中間部材３は、中間部材３と配管カバー本体２との間に設けた第１着脱手段１０により配管カバー本体２に着脱可能に取付けられる。また、前記フィルターカバー４は、フィルターカバー４と中間部材３との間に設けた第２着脱手段２０により中間部材３に着脱可能に取付けられる。
【００２１】
前記第１着脱手段１０は、着脱に際して回転を伴う操作を要する回転係脱手段であり、前記第２着脱手段２０は着脱に際して引き抜き・押し付けを伴う操作を要する直動係脱手段であり、前記第１着脱手段１０と前記第２着脱手段２０とは着脱方向が異なっている。このことは、後で詳述する。
【００２２】
第１着脱手段１０を構成する回転係脱手段は、図２に示すように配管カバー本体２に形成された前記挿通孔１１の周縁部に沿うように配管カバー本体２に設けられた第１係止部１２と、中間部材３の取付部３ａの背面３ｍ側（配管カバー本体２側）に形成され、挿通孔１１に嵌め込むことにより位置決めされる環状の位置決め用突起１３と、前記取付部３ａの配管カバー本体２側に配設され、所定角度に回転させたときに第１係止部１２に対して係脱可能な第１被係止部１４とを有する。なお、取付部３ａには、環状の突起１３の内側に円形の第１配管５１を挿通させる貫通孔３ｃが設けられている。この貫通孔３ｃは、少なくとも第１配管５１を挿通させることができる大きさであってもよい。
【００２３】
第１係止部１２は、挿通孔１１の内周面１１ａに形成された複数（例えば４つ）の凹部１２ａを有し、これら凹部１２ａは等配位置、例えば時計の０時、３時、６時、９時の４等配の位置に配設されている。なお、図２には、上述した４つの凹部１２ａのうちの一つは、表れていない。
【００２４】
第１被係止部１４は、複数（図示例では４つ）の突出部１４ａを有し、各突出部１４ａは、環状の突起１３を挿通孔１１に嵌め込んだ状態でその挿通孔１１の周縁部に沿うように、つまり環状の突起１３に沿うように配設され、かつ環状の突起１３の外側面に、突起１３の径方向の外方に突出するように設けられていて、中間部材３の配管カバー本体２に対する相対的な回転により前記凹部１２ａのそれぞれに嵌り込む。これに伴って凹部１２ａの両側面１２ｂにより突出部１４ａは周方向に係止される。この係止により中間部材３が回り止めされた状態で配管カバー本体２に取付けられる。この取付け状態において、貫通孔３ｃと挿通孔１１とは連通し、また防虫フィルター３ｂは貫通孔３ｃよりも下方に位置する。
【００２５】
ここで、特に断らない限り、周方向とは挿通孔１１の周縁に沿った方向をいい、回転方向ともいう。また、突起１３の軸心の方向を軸方向といい、突起１３の内外方向を径方向という。更に、外壁５０側を背面側といい、外壁５０から離れる側を前面側という。
【００２６】
上記突出部１４ａの配置は、前記凹部１２ａと同様の配置に設定されている。また、突出部１４ａは、環状の突起１３に設けた弾性変位部１３ａの回転方向中央部に配設されている。弾性変位部１３ａは、突起１３の背面３ｍ側の内側を窪ませて薄肉にした部分により構成され、外力を受けると環状の突起１３の内外方向（径方向）へ弾性的に変位し、外力が作用しなくなると元の状態に戻るようになっている。
【００２７】
この弾性変位部１３ａの存在により、突出部１４ａと凹部１２ａとの係脱が可能になっている。すなわち、中間部材３が回転することにより、環状突起１３の外側面に設けた突出部１４ａが前記内周面１１ａにより押されて弾性変位部１３ａが変形し、挿通孔１１の内周面１１ａに形成された凹部１２ａに入ると、突出部１４ａが凹部１２ａに係止されるとともに、弾性変位部１３ａが元の状態に戻る。また、中間部材３が回転することにより突出部１４ａが凹部１２ａから抜け出ようとすると、凹部１２ａの回転方向隣りに位置する凸部（側面１２ｂ）からの力を受けて弾性変位部１３ａが変形し、突出部１４ａが凹部１２ａから抜け出て非係止状態になる。更に、係脱時に、弾性変位部１３ａの変形を利用できるので、係止を確実な状態にする一方で、スムーズな装着、取外しを行うことができる。
【００２８】
また、取付部３ａにおける弾性変位部１３ａの前面３ｉ側には、弾性変位部１３ａと周方向の幅寸法をほぼ等しくした孔３ｄが形成されていて、この孔３ｄの形成により弾性変位部１３ａの前記変位が小さな外力によって起こる。なお、弾性変位部１３ａは、この図示例では突出部１４ａの部分と突出部１４ａの両側の部分とを含む範囲に形成しているが、突出部１４ａの部分を省略し突出部１４ａの両側の部分のみに形成してもよい。
【００２９】
また、環状の突起１３には、各弾性変位部１３ａの間の部位に切欠部１３ｂがそれぞれ（合計４つ）設けられるとともに、それらの切欠部１３ｂには落下防止用の係止片１３ｃがそれぞれ設けられており（図８参照）、切欠部１３ｂの両側面１３ｂ１と係止片１３ｃとの間には隙間が形成されている（図８参照）。前記係止片１３ｃは、突起１３の突出方向と同じ方向に突出形成されていて、係止片１３ｃの先端側には径方向に突出するように係止爪１３ｄが設けられている。挿通孔１１の内周面１１ａに形成された係止溝１１ｂ（図２参照）に係止爪１３ｄが係止されることにより、中間部材３が配管カバー本体２から落下することが防止される。つまり、前記係止片１３ｃと係止溝１１ｂとは、落下防止手段を構成し、前記弾性変位部１３ａが変位して突出部１４ａが凹部１２ａから外れ、これに伴って中間部材３が配管カバー本体２から落下することを、前記落下防止手段は防止する。なお、取付部３ａにおける係止片１３ｃの前面３ｉ側の端部の外側位置には、円弧状の長孔３ｅが形成されている。
【００３０】
また、突起１３の突出方向（取付部３ａの前後方向）において、上記係止爪１３ｄと上記突出部１４ａとの位置が異ならせてあり、係止爪１３ｄの係止溝１１ｂに対する軸方向の係止と、突出部１４ａの凹部１２ａに対する抜け止めとが支障無く行い得るようになっている。
【００３１】
また、前記上側部２Ａ２の前面３ｉ側（外壁取付側とは反対側）には、前記挿通孔１１の周囲に、前面３ｉに向けて突出した環状の庇２ｂ（図３参照）が挿通孔１１の全周にわたって設けられている。一方、中間部材３には、外壁５０側に、中間部材３を配管カバー本体２に取付けた状態で前記庇２ｂに当接する環状の当接部３ｊが形成されていて（図３参照）、中間部材３と配管カバー本体２との当接部（隙間）ａから入った水分が、前記庇２ｂの外側に形成された空間３ｎ（図３参照）を介して外部へ排出されるようになっている。
【００３２】
前記第２着脱手段２０は、上述したようにフィルターカバー４と中間部材３との間に設けられていて、引き抜き・押し付けを伴う操作を要する直動係脱手段であり、前記第１着脱手段１０とは操作方向が異なっている。この第２着脱手段２０を構成する直動係脱手段は、中間部材３に設けられた第２係止部２１と、フィルターカバー４に設けられ、第２係止部２１に係止される第２被係止部２２とを備える。
【００３３】
フィルターカバー４は、中間部材３における取付部３ａの側面３ｆ、および取付部３ａの前面３ｉ及び防虫フィルター３ｂの上面を覆うように形成されていて（図７参照）、フィルターカバー４における前記側面３ｆに対応する内面４ａに、第２被係止部２２としての複数（図示例では５つ）の凸部２２ａが形成されている。一方、中間部材３における取付部３ａの側面３ｆであって、凸部２２ａと対応する箇所には、複数（図示例では３つ）の凹部３ｇが形成されており、これらの凹部３ｇに前記凸部２２ａが係止される。これら凹部３ｇは、第２係止部２１として設けられており、防虫フィルター３ｂに近い２つの凹部３ｇには、それぞれ２つを１組とする凸部２２ａが係止され、防虫フィルター３ｂに遠い１つの凹部３ｇには、１つの凸部２２ａが係止される。このような係止により、中間部材３にフィルターカバー４を取付けることができ、一方凹部３ｇと凸部２２ａとを非係止状態にすると中間部材３からフィルターカバー４を取り外すことが可能になる。このフィルターカバー４は、中間部材３に取付けた状態において、中間部材３との間で通路５を形成する（図１、図３参照）。この通路５は、一端５ａ側の開口が貫通孔３ｃに連通し、他端５ｂ側の開口が下方に向けられている。また、前記防虫フィルター３ｂは前記通路５の他端５ｂの近傍部位の全域を横切るように設けられている。なお、防虫フィルター３ｂの配設位置は、他端５ｂの近傍であって、他端５ｂよりも上側の位置に設定してもよい。
【００３４】
なお、凹部３ｇと凸部２２ａとの係止は、１つの凹部３ｇに１つの凸部２２ａを係止する形態、或いは、１つの凹部３ｇに２以上の凸部２２ａを係止する形態を選定することは自由である。また、凹部をフィルターカバー４に設け、凸部を中間部材３における取付部３ａの側面３ｆに設けるようにしてもよい。
【００３５】
また、フィルターカバー４の前記内面４ａには複数（図示例では５つ）の突条部２３が形成されている（図２参照）。これら突条部２３は中間部材３における取付部３ａの側面３ｆに嵌着され、フィルターカバー４の変形を抑制し、これに伴ってフィルターカバー４の中間部材３からの脱落を抑制するようになっている。なお、突条部２３は、フィルターカバー４の内面４ａではなく側面３ｆに設けるようにしてもよく、或いは内面４ａと側面３ｆの両方に設けるようにしてもよい。
【００３６】
なお、上述したように第１着脱手段１０と第２着脱手段２０とは着脱（操作）方向が異なるため、一方の着脱機構１０（または２０）において着脱を行っても、他方の着脱機構２０（または１０）では着脱が行われないので、両着脱機構の片方のみを対象とした着脱が可能である。
【００３７】
このように構成された本実施形態の配管カバー１にあっては、以下のように取付け・取外しが行われる。
【００３８】
まず、図略の結束ベルトを用いて、第２部分２Ｂを第２配管５２に取付け、その第２配管５２を第１部分２Ａと第２部分２Ｂの間に挟んだ状態で、配管カバー本体２を外壁５０に、取付孔２ａ、２ｂを介してビス止めすることにより取付ける。
【００３９】
次に、中間部材３の貫通孔３ｃに第１配管５１の出側端を挿通させた状態で、中間部材３の取付部３ａに設けた環状の突起１３を、配管カバー本体２に形成された挿通孔１１に挿入する。これにより、中間部材３の配管カバー本体２に対する位置決めが行われる。この位置決めに際して、弾性変位部１３ａが変形して突出部１４ａが径方向内側へ変位し、また係止片１３ｃが同じく径方向内側へ撓む。位置決めが行われた状態で、中間部材３を配管カバー本体２に対して時計方向または反時計方向に回転させ、突出部１４ａと配管カバー本体２に設けた凹部１２ａとの位置を一致させると、突出部１４ａが凹部１２ａに嵌り込んで中間部材３が配管カバー本体２に周方向に係止される。これと同時に、係止片１３ｃの係止爪１３ｄが、配管カバー本体２の係止溝１１ｂに軸方向に係止され、中間部材３の落下が防止される。なお、突出部１４ａと凹部１２ａの位置が一致する状態で、中間部材３を配管カバー本体２に取付ける場合は、時計方向または反時計方向への回転は省略し得る。
【００４０】
次に、フィルターカバー４を中間部材３に押し付けて取付ける。この取付けに際し、中間部材３に設けた凹部３ｇに対し、フィルターカバー４に設けた凸部２２ａの位置を一致させ、凹部３ｇに凸部２２ａを係止させる。この係止状態において、突条部２３が側面３ｆに嵌着してフィルターカバー４の変形を抑制し、これに伴ってフィルターカバー４の中間部材３からの脱落を抑制する。
【００４１】
以上のようにして、配管カバー本体２に中間部材３が着脱可能に取付けられ、その中間部材３にフィルターカバー４が着脱可能に取付けられる。この取付け状態において、前記通路５が形成される。この通路５は第１配管５１の出口５１ｂから排出されるゴミを防虫フィルター３ｂまで移動させる機能を有する。また、前述の取付け状態において、フィルターカバー４に外力が作用し、弾性変位部１３ａが変形して突出部１４ａが環状の突起１３の内方へ変位し、凹部１２ａから突出部１４ａが抜け出て配管カバー本体２から中間部材３が落下する虞があっても、落下防止手段としての係止片１３ｃの係止爪１３ｄと係止溝１１ｂとの係止により、中間部材３の落下が防止される。
【００４２】
しかる後、上述した取付け状態からフィルターカバー４を把持して引き抜くと、図９に示すようにフィルターカバー４のみを取り外すことができ、この取り外した状態において、防虫フィルター３ｂが外部に露出し、また貫通孔３ｃ及び第１配管５１の出口５１ｂも外部に表れる。また、フィルターカバー４を把持して一定角度（例えば２２．５゜程度）だけ回転させると、弾性変位部１３ａが変形して突出部１４ａが環状の突起１３の内方へ変位して凹部１２ａから外れるとともに、係止片１３ｃが同じく内方へ撓んで係止爪１３ｄが係止溝１１ｂから外れる。そして、この状態からフィルターカバー４を引くと、中間部材３とフィルターカバー４を一緒に取り外すことができる。なお、中間部材３とフィルターカバー４を一緒に取り外すとき、一定角度（例えば２２．５゜程度）だけ回転させているが、その角度は単なる目安であり、突出部１４ａが凹部１２ａから外れかつ係止爪１３ｄが係止溝１１ｂから外れる角度であればよい。
【００４３】
以上説明したように、本実施形態による場合には、防虫フィルター３ｂが、通路５の他端５ｂ側の部位の全域を横切る状態で取付部３ａの下端部から斜め下方に向けて延出しているので、防虫フィルター３ｂの低い側にゴミを寄せてためることができ、これによりゴミの蓄積許容量を増大化させて、掃除の頻度を低減することができる。なお、前記ゴミの蓄積許容量は、貫通孔３ｃまたは第１配管５１の出口５１ｂに対する防虫フィルター３ｂの高さ位置を調整することで増大化させることもできる。また、本実施形態にあっては、防虫フィルター３ｂが傾斜しているので、配管カバー１の外壁５０からの出っ張りを抑制しつつ、防虫フィルター３ｂに設けられる換気孔３ｈ全体の面積を大きくすることが可能になる。更に、換気孔３ｈ全体の面積の増大化に伴って通風抵抗を低減することができる。更にまた、防虫フィルター３ｂに溜まったゴミは、フィルターカバー４を外すだけで外部に露出するので（図９参照）、中間部材３を取り外す必要がなく、簡単な作業で防虫フィルター３ｂの掃除を行うことができる。加えて、フィルターカバー４を外すと、第１配管５１の出口５１ｂが表れるので（図９参照）、その第１配管５１についても中間部材３を取り外すことなく掃除することが可能になる。更にまた、取付部３ａと防虫フィルター３ｂとが一体的に形成されているので、防虫フィルター３ｂの着け忘れを防止することができる。
【００４４】
また、本実施形態にあっては、上述したように中間部材３が防虫フィルター３ｂと取付部３ａとの連結部３ｐで折れ曲がった形状となっていて、その折れ曲がり部分（連結部３ｐ）の近傍に分離手段が設けられているので、分離手段が設けられた箇所に、折り曲げ力を集中させ易く分離手段を分離させ易い。その分離手段が凹溝３ｋである場合には、凹溝３ｋの溝底が薄肉となっていて分離させ易く、その分離を手で行うことができ、特殊な道具を必要としない。なお、防虫フィルター３ｂの分離は、例えば第１配管５１の出口５１ｂに別の防虫フィルターが取付けられている場合などに行われる。
【００４５】
なお、上述した実施形態では、第１配管５１の出口５１ｂが挿通孔１１及び貫通孔３ｃを通り抜けて通路５に位置する場合に適用しているが、本発明はこれに限らず、第１配管５１の出口５１ｂが挿通孔１１よりも外壁５０側に位置する場合にも適用することができる。
【００４６】
また、上述した実施形態では、中間部材３と配管カバー本体２との間に設けた第１着脱手段１０に回転を伴う操作を要する回転係脱手段を用い、フィルターカバー４と中間部材３との間に設けた第２着脱手段２０に引き抜き・押し付けを伴う操作を要する直動係脱手段を用いているが、本発明はこれと逆な構成にしてもよい。つまり、中間部材３と配管カバー本体２との間に設けた第１着脱手段１０に直動係脱手段を用い、フィルターカバー４と中間部材３との間に設けた第２着脱手段２０に回転係脱手段を用いてもよい。この構成であっても、第１着脱手段１０と第２着脱手段２０とは着脱方向が異なるため、一方の着脱機構において着脱を行っても、他方の着脱機構では着脱が行われないので、両着脱機構１０、２０の片方のみを対象とした着脱が可能である。
【００４７】
更に、上述した実施形態では、落下防止手段として中間部材３に係止片１３ｃを設け、配管カバー本体２に係止溝１１ｂを設けているが、本発明はこれとは逆に、中間部材３に係止溝１１ｂを設け、配管カバー本体２に係止片１３ｃを設けてもよい。
【００４８】
更にまた、上述した実施形態では、第２着脱手段２０を構成する直動係脱手段として、中間部材３に設けられた第２係止部２１（凹部３ｇ）と、フィルターカバー４に設けられ、第２係止部２１に係止される第２被係止部２２（凸部２２ａ）とを備えるが、本発明はこれとは逆に、フィルターカバー４に凹部３ｇを設け、中間部材３に凸部２２ａを設けた構成としてもよい。
【００４９】
更にまた、上述した実施形態では、配管カバー１は第１配管５１の折れ曲がり部分５１ａから出口５１ｂまでを覆うとともに、第２配管５２の折れ曲がり部分５２ａを覆う構成になっているが、本発明はこれに限らず、少なくとも第１配管５１の折れ曲がり部分５１ａから出口５１ｂまでを覆う構成としてもよい。
【符号の説明】
【００５０】
１    配管カバー
２    配管カバー本体
３    中間部材
３ａ    取付部
３ｂ    防虫フィルター
３ｃ    貫通孔
３ｋ    凹溝（分離手段）
３ｐ    下端部
４    フィルターカバー
５    通路
１１    挿通孔
５０    外壁
５１    配管
５１ｂ    出口
【図１】
0005529584.tif 000002
【図２】
0005529584.tif 000003
【図３】
0005529584.tif 000004
【図４】
0005529584.tif 000005
【図５】
0005529584.tif 000006
【図６】
0005529584.tif 000007
【図７】
0005529584.tif 000008
【図８】
0005529584.tif 000009
【図９】
0005529584.tif 000010